(57)【特許請求の範囲】
【請求項１】
外部機器接続用の端子部及び電池収納部を備えた携帯電話無線機本体と、前記端子部を保護するカバーと、電池とを有する携帯電話無線機において、
前記カバーが、前記携帯電話無線機本体との嵌合部を軸として回動自在に形成され、前記カバー収納時に、前記カバーが回転して前記携帯電話無線機本体の前記電池収納部の底部に形成された凹部に収納され、前記電池が前記カバーを押圧して挟持することを特徴とする携帯電話無線機。
【請求項２】
外部機器接続用の端子部及び電池収納部を備えた携帯電話無線機本体と、前記端子部を保護するカバーと、電池とを有する携帯電話無線機において、
前記カバーが、前記端子部を保護するキャップ部と、前記携帯電話無線機本体に設けた突起を軸にして回動自在に嵌合する嵌合孔を備えた基部とからなり、前記カバー装着時に、前記キャップ部が前記端子部方向に屈曲して該端子部を保護し、前記カバー収納時に、前記カバーが前記突起を中心に回転し、前記携帯電話無線機本体の前記電池収納部の底部に形成された凹部に収納され、前記電池が前記カバーを押圧して挟持することを特徴とする携帯電話無線機。
【請求項３】
外部機器接続用の端子部及び電池収納部を備えた携帯電話無線機本体と、前記端子部を保護するカバーと、電池とを有する携帯電話無線機において、
前記カバーが、前記端子部を保護するキャップ部と、前記携帯電話無線機本体に設けた嵌合孔に挿入され回動自在に嵌合する突起を備えた基部とからなり、前記カバー装着時に、前記キャップ部が前記端子部方向に屈曲して該端子部を保護し、前記カバー収納時に、前記カバーが前記突起を中心に回転し、前記携帯電話無線機本体の前記電池収納部の底部に形成された凹部に収納され、前記電池が前記カバーを押圧して挟持することを特徴とする携帯電話無線機。
【発明の詳細な説明】
【０００１】
【発明の属する技術分野】
本発明は、携帯電話無線機に関し、特に、携帯電話無線機の端子部を保護するカバーの収納構造に関する。
【０００２】
【従来の技術】
一般に、携帯電話無線機には、携帯用情報端末、コンピュータ端末、ゲーム機器等の種々の外部装置との間で信号を送受信するための外部機器接続用の端子部が設けられている。特に、近年の携帯電話無線機には、カメラや音楽再生機能が付加された多機能の機種も販売されるようになってきており、コンピュータ端末等の外部装置と送受信を行う機会は増加している。
【０００３】
上記携帯電話無線機は、常時携帯されるものであり、塵や埃の多い屋外で使用される場合も多いことから、外部機器接続用の端子部を塵や埃等から保護し、良好な接触状態を維持するためにカバーが設けられている。そして、外部機器と接続しない時には端子部が露出することがないようにカバーによって保護される構造となっている。
【０００４】
このような従来の携帯電話無線機の端子部のカバー構造について、図６及び図７を参照して説明する。図６に示す携帯電話無線機は、携帯電話無線機本体１の端部に、リブ１１によって携帯電話無線機本体１から脱離しないように保持されたカバー９が開閉自在に取り付けられており、端子部２を使用する際には、カバー９を跳ね上げて端子部２にコネクタを装着して外部機器と接続している。また、図７に示す携帯電話無線機は、端子部２に着脱可能なカバー１０が取り付けられており、端子部２を使用する際には、カバー１０を取り外して端子部２にコネクタを装着して外部機器と接続している。
【０００５】
【発明が解決しようとする課題】
しかしながら、図６に示す携帯電話無線機では、リブ１１によってカバー９が携帯電話無線機本体１に保持されており、端子部２を使用する時もカバー９は端子部２側に飛び出した状態であるため、コネクタ等の挿抜に際してカバー９が障害となり、コネクタの装着操作を容易に行うことができず、また、突出しているカバー９に意図しない力が加わってカバー９が破損してしまうという問題があった。
【０００６】
また、図７に示す携帯電話無線機では、カバー１０が携帯電話無線機とは別部品で構成され、コネクタ等の挿抜時に着脱を行うものであるため、コネクタの挿抜の障害とはならないが、コネクタ等の挿抜を頻繁に行うユーザーにとっては、カバー１０の着脱動作を繰り返すうちにカバー１０を紛失してしまうという問題があった。
【０００７】
本発明は、上記問題点に鑑みてなされたものであって、その主たる目的は、コネクタの挿抜に際して障害となることなく、簡単かつ確実に開閉操作を行うことができる携帯電話無線機の端子部のカバー構造を提供することにある。
【０００８】
【問題を解決するための手段】
上記目的を達成するため、本発明の携帯電話無線機は、外部機器接続用の端子部及び電池収納部を備えた携帯電話無線機本体と、前記端子部を保護するカバーと、電池とを有する携帯電話無線機において、前記カバーが、前記携帯電話無線機本体との嵌合部を軸として回動自在に形成され、前記カバー収納時に、前記カバーが回転して前記携帯電話無線機本体の前記電池収納部の底部に形成された凹部に収納され、前記電池が前記カバーを押圧して挟持するものである。
【０００９】
また、本発明の携帯電話無線機は、外部機器接続用の端子部及び電池収納部を備えた携帯電話無線機本体と、前記端子部を保護するカバーと、電池とを有する携帯電話無線機において、前記カバーが、前記端子部を保護するキャップ部と、前記携帯電話無線機本体に設けた突起を軸にして回動自在に嵌合する嵌合孔を備えた基部とからなり、前記カバー装着時に、前記キャップ部が前記端子部方向に屈曲して該端子部を保護し、前記カバー収納時に、前記カバーが前記突起を中心に回転し、前記携帯電話無線機本体の前記電池収納部の底部に形成された凹部に収納され、前記電池が前記カバーを押圧して挟持するものである。
【００１０】
また、本発明の携帯電話無線機は、外部機器接続用の端子部及び電池収納部を備えた携帯電話無線機本体と、前記端子部を保護するカバーと、電池とを有する携帯電話無線機において、前記カバーが、前記端子部を保護するキャップ部と、前記携帯電話無線機本体に設けた嵌合孔に挿入され回動自在に嵌合する突起を備えた基部とからなり、前記カバー装着時に、前記キャップ部が前記端子部方向に屈曲して該端子部を保護し、前記カバー収納時に、前記カバーが前記突起を中心に回転し、前記携帯電話無線機本体の前記電池収納部の底部に形成された凹部に収納され、前記電池が前記カバーを押圧して挟持するものである。
【００１２】
このように、本発明は、携帯電話無線機の各種端子のカバーを、携帯電話無線機本体又はカバーの一方に設けた突起と他方に設けた嵌合孔とからなる嵌合部を中心にして回転させることにより、カバーを携帯電話無線機本体内に収納できる構造とし、更に、カバー収納時に電池によって押圧、挟時することにより、ユーザーの取扱性・利便性を向上させることができる。
【００１３】
【発明の実施の形態】
本発明に係る携帯電話無線機は、その好ましい一実施の形態において、外部機器接続用の端子部及び電池収納部を有する携帯電話無線機本体と、前記端子部を保護するカバーと、電池とで構成され、携帯電話無線機本体の電池収納部にはカバーと嵌合し回転軸となる突起とカバーを収納する収納凹部とが設けられ、カバーには、端子部を保護するキャップ部と、突起を軸にして回動自在に嵌合する嵌合孔とを備え、端子部を使用しない時には、キャップ部が折れ曲がって端子部を保護し、端子部を使用する時には、カバーが突起を中心に回転し、収納凹部に収納され、更に、電池によって押圧、挟時される。
【００１４】
【実施例】
上記した本発明の実施の形態についてさらに詳細に説明すべく、本発明の実施例について図面を参照して説明する。
【００１５】
［実施例１］
まず、本発明の第１の実施例に係る携帯電話無線機の端子カバー構造について、図１乃至図４を参照して説明する。図１は、本実施例の携帯電話無線機の組み立て構成を示す斜視図であり、図２は、本発明の特徴部分であるカバーを収納する様子を説明するための図である。また、図３は、カバーを収納した状態を示す図であり、図４は、カバーを端子部に装着した状態を示す図である。
【００１６】
まず、図１を参照して本実施例の携帯電話無線機の構成について説明する。図１に示すように、本実施例の携帯電話無線機は、携帯電話無線機本体１と、電池３と、カバー４とを主な要素として構成される。携帯電話無線機本体１には、コンピュータ端末、携帯端末等の外部機器と接続するための端子部２と、電池３を収納する電池収納部と、本実施例のカバー４を収納するための収納凹部６と、カバー４を携帯電話無線機本体１に嵌合させるための突起７とを有する。また、カバー４は、携帯電話無線機本体１の突起７と嵌合させるための嵌合孔５を備えた基部と、端子部２を保護するためのキャップ部８とを有する。なお、このカバー４は、樹脂やゴム、プラスチック等の部材を用いて形成されており、基部とキャップ部８とは折り曲げ可能な構造になっている。
【００１７】
そして、携帯電話無線機本体１の突起７をカバー４の嵌合孔５に挿入することにより、携帯電話無線機本体１と嵌合させて携帯電話無線機本体１から脱離しないようにすると共に、突起７を中心として自在に回動するように構成されている。
【００１８】
次に、本実施例のカバー４を収納する手順について図２を参照して説明する。収納の際には、図２（ａ−１）に示す様に、カバー４を端子部２から外し、上方（紙面の表面方向）に向かって跳ね上げた後、図２（ａ−２）に示す様に、突起７を回転軸としカバー４を矢印の方向に１８０度回転させ、その後、図２（ａ−３）に示す様に、収納凹部６内に収納する。なお、図２（ｂ）には、（ａ−２）の状態をＸ方向から見た側面図を示している。
【００１９】
そして、カバー４を携帯電話無線機本体１の収納凹部６内に収納後、図３に示すように、電池３を携帯電話無線機本体１に嵌合させることにより、カバー４が携帯電話無線機本体１方向に押圧され、カバー４が収納凹部６から浮き出さないように抑制することができる。
【００２０】
ここで、カバー４の厚さを収納凹部６からややはみ出す程度に設定することにより、カバー４を再び取り出すときに容易に引き出すことができ、また、カバー４の電池３側の面に緩衝作用のある材料を配設することにより、電池３を装着する際に携帯電話無線機本体１と電池３との衝撃を和らげることができる。なお、図示していないが、収納凹部６の一端に切り欠き部を設けておくことにより、カバー４の取り出しが更に容易となる。
【００２１】
また、カバー４を端子部２に装着する際には、図２に示した収納手順とは逆に、カバー４を収納凹部６から起こし、突起７を回転軸にして１８０度回転させて携帯電話無線機本体１の外側へ出し、カバー４のキャップ部８を折り曲げて、端子部２にはめ込むことにより、図４に示すように、カバー４で端子部２を保護する。
【００２２】
このように、本実施例の携帯電話無線機のカバー構造によれば、携帯電話無線機を外部機器と接続しないときは、従来通り端子部２をカバー４で保護することができ、外部機器と接続する場合には、カバー４は携帯電話無線機本体１の収納凹部６に収納され、かつ電池３によって押圧固定されているため、外部機器との接続に際してカバー４が障害となることがなく、また、カバー４がなくなってしまったり、意図しない方向に力が加わってカバー４が変形したりすることがなく、簡便かつ確実にカバー４の収納／装着動作を繰り返し行うことができる。
【００２３】
［実施例２］
次に、本発明の第２の実施例に係る携帯電話無線機のカバー構造について、図５を参照して説明する。図５は、第２の実施例に係る携帯電話無線機の構成を示す図であり、（ａ）は斜視図、（ｂ）はカバーを収納した状態を示すＣ−Ｃ断面図である。
【００２４】
本実施例の携帯電話無線機は、図５に示すように、携帯電話無線機本体１と、電池３と、カバー１３とを主な要素として構成される。携帯電話無線機本体１には、外部機器と接続するための端子部２と、電池３を収納するための電池収納部と、カバー１３を収納する収納凹部６と、嵌合孔１２とを有し、カバー１３には、携帯電話無線機本体１の嵌合孔１２と嵌合する突起１４を備えた基部と端子部２を保護するキャップ部８とを有し、基部とキャップ部８とは折り曲げ可能に形成されている。そして、カバー１３は、図５に示すように、嵌合孔１２に突起１４を嵌合させることにより、携帯電話無線機本体１に回動自在に固定する。
【００２５】
本実施例の構造では、カバー１３を収納する際には、まずキャップ部８を端子部２から外し上方に跳ね上げた後、突起１４を回転の軸とし１８０度回転させ、収納凹６へ収納し、電池３によって押圧保持する。また、カバー１３を使用する時には、同様に、突起１４を回転の軸とし、携帯電話無線機本体１の外側へ出し、カバー１３のキャップ部８を端子部２にはめ込み、キャップ部８で端子部２を保護する。
【００２６】
このように、本実施例の携帯電話無線機のカバー構造によれば、前記した第１の実施例と同様に、携帯電話無線機を外部機器と接続しないときは従来通り端子部２をカバー４で保護することができ、外部機器と接続する場合には、カバー４は携帯電話無線機本体１の収納凹部６に収納され、かつ電池３によって押圧固定されているため、簡便かつ確実にカバー４の収納／装着動作を繰り返し行うことができる。
【００２７】
なお、上記各実施例では、カバー４を収納する際に、キャップ部８を折り曲げて回転させる場合について記載したが、本発明は上記実施例に限定されるものではなく、突起７又は１４を回転軸としてカバー４が回転して携帯電話無線機本体１に収納される構造であれば良く、例えば、携帯電話無線機本体１に切り欠き部を設けており、カバー４又は１３の基部とキャップ部８とを伸ばした状態で回転させても良い。
【００２８】
また、上記実施例では、カバー４又は１３を１８０度回転させて収納する構造について記載したが、カバー４又は１３がコネクタの挿抜に際して障害とならないように携帯電話無線機本体１からはみ出さない位置に収納されれば良く、任意の角度、例えば、９０度回転させて収納する構造としても良い。
【００２９】
【発明の効果】
以上説明したように、本発明の携帯電話無線機のカバー構造によれば、カバーは突起を中心として自在に回転し、収納時にはカバーを本体と電池によって押圧、保持することが可能なため、コネクタの挿抜に際してカバーが障害となることがなく、また開閉動作を繰り返してもカバーを紛失する心配がない。
【００３０】
そして、頻繁に開閉を行う際には、カバーを収納したまま携帯電話無線機を使用し、開閉を行わない際にはカバーを使用することにより、ユーザーの開閉動作の回数を軽減し、取扱性・利便性を向上させることができる。
【図面の簡単な説明】
【図１】本発明の第１の実施例に係る携帯電話無線機の組み立て構成を示す斜視図である。
【図２】本発明の第１の実施例に係る携帯電話無線機のカバーを収納する動作を示す図であり、（ａ）は上面図、（ｂ）はＸ方向から見た側面図である。
【図３】本発明の第１の実施例に係る携帯電話無線機のカバーを収納した状態を示す図であり、（ａ）は斜視図、（ｂ）はＡ−Ａ線における断面図である。
【図４】本発明の第１の実施例に係る携帯電話無線機のカバーを装着した状態を示す図であり、（ａ）は斜視図、（ｂ）はＢ−Ｂ線における断面図である。
【図５】本発明の第２の実施例に係る携帯電話無線機の構成を示す図であり、（ａ）は斜視図、（ｂ）はＣ−Ｃ線における断面図である。
【図６】従来の携帯電話無線機の構造を示す斜視図である。
【図７】従来の携帯電話無線機の構造を示す斜視図である。
【符号の説明】
１  携帯電話無線機本体
２  端子部
３  電池
４  カバー
５  嵌合穴
６  収納凹部
７  突起
８  キャップ部
９  カバー
１０  カバー
１１  リブ
１２  嵌合孔
１３  カバー
１４  突起
【図１】
0003678671.tif 000002
【図２】
0003678671.tif 000003
【図３】
0003678671.tif 000004
【図４】
0003678671.tif 000005
【図５】
0003678671.tif 000006
【図６】
0003678671.tif 000007
【図７】
0003678671.tif 000008